(57)【特許請求の範囲】
【請求項１】
それぞれがビーム発生手段に接続されている少なくとも２本のアンテナと、少なくとも２つの代替可能な所定のアンテナビームパターンを提供するように前記ビーム発生手段を制御するための制御手段とを有し、
前記ビーム発生手段は、
ハイブリッド結合器と、
各アンテナに接続した夫々の第１のスイッチ手段と、
各第１のスイッチ手段に対応する夫々の第２のスイッチ手段と、を備え
前記第１のスイッチ手段は、各アンテナと、前記ハイブリッド結合器の入力端の１つ又は前記第２のスイッチ手段のいずれか一方とを接続するものであり、
前記第２のスイッチ手段は、前記第１のスイッチ手段と前記制御手段との接続を切換えるものである、アンテナダイバーシティシステム。
【請求項２】
受信信号の品質を決定するための信号品質測定手段を更に有し、受信または送信信号の特性を向上させるアンテナビームパターンを供給するように信号品質測定手段からの出力に応じて前記制御手段が前記ビーム発生手段を制御することを特徴とする請求項１記載のアンテナダイバーシティシステム。
【請求項３】
各第２のスイッチ手段が、夫々のアンテナを共通接続点に接続するオン状態と、それぞれのアンテナに適切な終端を提供するオフ状態とを有することを特徴とする請求項２記載のアンテナダイバーシティシステム。
【請求項４】
前記制御手段によって提供される各状態において、前記第２のスイッチ手段のうちひとつ以上がオンであり、残りはオフであることを特徴とする請求項２または３記載のアンテナダイバーシティシステム。
【請求項５】
前記第２のスイッチ手段がそれぞれ少なくとも１５ｄＢのオン／オフ比を有し、オン状態での損失が低く、オフ状態では各アンテナに実質的に反射終端を提供することを特徴とする請求項２乃至４のうちいずれか一項記載のアンテナダイバーシティシステム。
【請求項６】
前記第１及び／又は第２スイッチ手段は半導体スイッチ装置であることを特徴とする請求項１乃至５のうちいずれか一項記載のアンテナダイバーシティシステム。
【請求項７】
それぞれがビーム発生手段に接続されている少なくとも２本のアンテナと、ビーム発生手段を制御するための制御手段とを有し、
前記ビーム発生手段は、
ハイブリッド結合器と、
各アンテナに接続した夫々の第１のスイッチ手段と、
各第１のスイッチ手段に対応する夫々の第２のスイッチ手段と、を備え
前記第１のスイッチ手段は、各アンテナと、前記ハイブリッド結合器の入力端の１つ又は前記第２のスイッチ手段のいずれか一方とを接続するものであり、
前記第２のスイッチ手段は、前記第１のスイッチ手段と前記制御手段との接続を切換えるものである、アンテナダイバーシティシステムを作動させる方法であって、少なくとも２つの代替可能な所定のアンテナビームパターンを提供するように前記制御手段を作動させることを含む方法。
【請求項８】
前記システムが受信信号の品質を決定するための信号品質測定手段を更に有し、受信または送信信号の特性を向上させるアンテナビームパターンを提供するように信号品質測定手段からの出力に応じて前記制御手段を作動させることを更に含むことを特徴とする請求項７記載の方法。
【発明の詳細な説明】
発明の分野
本発明はビーム方向操作構造を有するアンテナダイバーシティシステムに関し、より詳細には数種のアンテナビームパターンを発生することが可能なアンテナダイバーシティ回路及びそのシステムの作動方法に関する。このようなシステムの適用例としては、商業用または家庭用の無線データリンクや、ＤＥＣＴ（Digital Enhanced Cordless Telecommunications）及びＧＳＭ（Global System for Mobile communication）などのコードレス及びセルラータイプの通信システムが挙げられる。
受信機を用いたアンテナダイバーシティシステムについて本発明の説明を以下に行うが、送信と受信の相互関係から、本発明は送信機を用いた場合にも当然適用できる。
技術背景
屋内などの信号伝播が複雑になる環境では、信号のフェーディングが頻繁に起こる。こうしたフェーディングは、長さの異なる伝播路を通って到達した多重信号の相互干渉によって起こる。そのような干渉が大きい場合には、受信信号の強度は受信に必要とされるレベルを下回ってしまうことになる。
屋内では、信号の伝播の方向に大きな差が現れやすく、感度の良い信号のみを受信し他は受け付けないアンテナを有するような受信機であれば、あまりフェーディングを起こさずに良好な受信を行うことができる。
屋内での伝播環境は、例えば伝播路近辺の人の動きなどによって急激に変化しやすい。したがって、指向性アンテナを使用した構造においても、すばやい方向操作が必要となり、それに伴って電子ステアリング操作が必要となる。
複数のアンテナを用いた既知のアンテナシステムには次のようなものがある。ＰＣＴ国際出願公報番号ＷＯ９５／３３３１２には、複数の指向性アンテナから２つのアンテナを選択する、２つの受信機を用いた構成が開示されている。第１の信号の品質は第１のアンテナから受信した通信信号で測定し、第２の信号品質は第２のアンテナから受信した通信信号で測定する。第１及び第２の品質の差が閾値を上回っている場合、受信機は第３のアンテナに接続され、第３の信号品質を測定する。この３つの測定値に基づいて、通信信号を受信する主アンテナと副アンテナを選択する。このシステムでは方向操作は指向性アンテナの選択を変更することによって行われる。しかし、このような公知のシステムにおいては、少なくとも２つの独立した受信機が必要であり、そのため比較的高価になってしまうという問題があった。
受信機を１つしか必要としないアンテナダイバーシティシステムの例として、本出願人によるＰＣＴ国際出願番号９７／０８７７４（ＰＨＢ３４０００）に開示された２つのアンテナを有する送受信器と、最も強度の高い信号を供給するアンテナを選択する構成とがある。こうした構成は有益ではあるものの、選択されていないアンテナは不使用で、多重信号を選択的に拒否することもできない。
発明の開示
本発明の目的は、多重信号を選択的に拒否するアンテナダイバーシティを提供することである。
本発明の第１の特徴は、それぞれがビーム発生手段に接続されている少なくとも２本のアンテナと、少なくとも２つの代替可能な所定のアンテナビームパターンを供給するように前記ビーム発生手段を制御するための制御手段とを有するアンテナダイバーシティシステムにある。
本発明の第２の特徴は、それぞれがビーム発生手段に接続されている少なくとも２本のアンテナと、ビーム発生手段を制御するための制御手段とを有するアンテナダイバーシティシステムを作動する方法において、少なくとも２つの代替可能な所定のアンテナビームパターンを供給するように前記制御手段を作動することを含む方法にある。
本発明は、複数のアンテナを有するアンテナダイバーシティ構造によって多様なビームパターンを形成できるという、従来技術には見られない認識に基づくものである。各ビームパターンは送受信器に接続される１本またはそれ以上の本数のアンテナによって形成され、残りのアンテナはインピーダンスによって切断されている。本発明において必要な送受信器は１つのみである。
【図面の簡単な説明】
本発明の実施例を添付の図面を参照しながら説明する。
図１は、屋内の複数信号経路環境の例を示し、
図２は、２本のアンテナを使用したアンテナダイバーシティシステムの概略図であり、
図３は、アンテナダイバーシティシステムのアンテナパターンを示し、
図４は、２本のアンテナを使用したアンテナダイバーシティ回路の概略図であり、
図５は、ハイブリッド結合器を用いたアンテナダイバーシティシステムの概略図であり、
図６は、信号品質測定にのみハイブリッド結合器を用いたアンテナダイバーシティシステムの概略図であり、
図７は、３本のアンテナを使用したアンテナダイバーシティシステムの概略図である。
以上の図面において、複数の図にわたって同じものが描かれている場合には同様の符号が使用されている。
発明の実施態様
簡単な屋内での概略図を図１に示す。ふたつの部屋１００はそれぞれ出入口１０４を有する壁１０２を備える。一方の部屋には送信機１０６が設置され、もう一方の部屋には受信機１０８が設置されている。図中、出入口１０４を通る送信機１０６と受信機１０８との間の３つの信号経路を示す。第１の信号経路１１０は送信機１０６と受信機１０８の間を直接通り、第２の信号経路１１２は壁１０２に１回反射し、第３の信号経路１１４は壁１０２に２回反射するものである。実際には、壁１０２からの多くの反射や壁１０２を通る送信があるため、非常に多数の信号経路が存在することになる。こうした反射や送信の結果、受信機１０８における信号強度は、経路毎に異なることになる。
信号１１０、１１２、１１４間の干渉を避けるには、特定の方向からの信号のみを選択的に受信する指向性アンテナを配置することが望ましい。更には、そのような指向性アンテナの方向操作が可能であることが望ましい。例えば、そのアンテナが直接信号１１０を受信しようとした際にその信号の進路が妨害された場合（その信号経路１１０に人が進入した場合など）、代わりに信号１１２又は１１４を受信するようにそのアンテナを方向操作することができる。
図２は、第１及び第２のアンテナ２０２、２１２を有するアンテナダイバーシティシステム２００の概略図である。これらのアンテナは実質上無指向性のほうが好ましく、その時々の都合に合わせて、例えば、モノポール、ダイポール、マイクロストリップなど、どんなタイプのものでもよい。アンテナ２０２、２１２は同一でも、そうでなくてもよい。第１のアンテナ２０２は第１のスイッチ２０４に接続されている。オン状態では、スイッチ２０４は第１の接触子２０６及び共通接続点２２２を介してアンテナ２０２から受信機（Ｒｘ）２２４に信号を送る。オフ状態では、スイッチ２０４は第２の接触子２０８を介してアンテナ２０２に端子２１０をつないでいる。端子２１０は反射端子とされており、電力を消費せず、したがって実質的には無効インピーダンスとなる。第２のアンテナ２１２は同様に第２のスイッチ２１４に接続されており、そこから第１の接触子２１６を介して共通接続点２２２または第２の接触子２１８を介して端子２２０に接続されている。
信号品質測定器（ＳＱＭ）２２６は、受信信号のフェードやその他の問題を検出するために設けられる。この機器の設置についてはいかなる方法で検出を行ってよく、例えば、受信無線信号強度やビット誤り率の検出を行ってもよい。制御装置２２８（ＣＯＮ）は、受信機２２４及び信号品質測定器２２６からの情報に応じてスイッチ２０４、２１４の状態設定を行うために設置される。
両スイッチ２０４、２１４がオン状態、かつアンテナ２０２、２１２から共通接続点２２２への電気的距離が等しい場合、アンテナパターンは、アンテナ２０２、２１２が横型の２元アンテナアレイを形成し、横方向に最大の反応を示す。
第２のスイッチ２０４がオンで第１のアンテナ２０２を共通接続点２２２に接続し、第２のスイッチ２１４はオフで反射端子２２０を第２のアンテナ２１２に接続している場合、この２つのアンテナは２元縦型アンテナアレイとして機能する。オン状態である第１のアンテナ２０２がアンテナアレイの供給側であり、第２のアンテナ２１２が、反射端子２２０の相に応じて導波器または反射器として機能する。この２つのアンテナ２０２、２１２間の距離は、任意の周波数（中心周波数）での波長の最大半分までとし、縦型構造が形成され、波長の４分の１の距離で最大の効果が得られるようにする。その縦型構造は、アンテナアレイの軸方向に単方向パターンを形成する。最大ゲインの方向は反射端子２２０の相に応じて変化する。端子２２０が正方向リアクタンスを有する場合、第２のアンテナ２１２は反射器として機能し、一般的に好ましい状態となる。
第１及び第２のスイッチ２０４、２１４の位置を逆にすると、第１と第２のアンテナ２０２、２１２の機能も逆転し、最大ゲインの方向が逆転する。
第１及び第２のスイッチ２０４、２１４のこれら３つの組み合わせ（オン−オン、オン−オフ、オフ−オン）により、アンテナ２０２、２１２は２元縦型または１元横型アンテナアレイ構造において動作する。
ｎ元線形アンテナアレイのアンテナパターンは一般的に次のように表される。
e=sin nu/sin u
上記の式中、ｅは通常の単位最大ゲインに換算したアンテナアレイのゲイン、ｎはアンテナ素子の数を示し、ｕは以下の式で求められる。
u=（d cosφ+a）/2
上記の式中、ｄは（波長における）素子分割、ａは任意の周波数（中心周波数）における素子間の位相ずれ、φはアレイの軸に対して時計方向に測定した角度である。横型アレイパターンの場合、ａ＝０、縦型アレイパターンの場合、ａ＝±π／２。
アンテナアレイの２つのアンテナの組み合わせは、単純なアンテナ空間ダイバーシティ（最強の強度を持つ信号を供給するアンテナが選択される）と比べて、３ｄＢのアンテナゲインの改善をもたらす。しかし、無線周波数（ＲＦ）回路は、アンテナビームを操作するために移相素子を加える必要もないので、アンテナ空間ダイバーシティよりも複雑になることはない。
図３Ａ乃至３Ｃは、スイッチ２０４，２１４の３つの組み合わせによるアンテナ反応パターンを示す極図である。ここでは、２本のアンテナは波長の３分の１の距離だけ離れている構成とする。全ての図において、アレイの軸はｘ軸方向、つまり図中の左右に延びる軸であり、第１のアンテナ２０２は左側、第２のアンテナ２１２は右側に位置する。図３Ａは、スイッチ２０４、２１４のどちらもオンで、ｘ軸に対して対称な横型パターンを示す。図３Ｂは、第１のスイッチ２０４がオンで第２のスイッチ２１４がオフの場合の負のｘ方向に最大ゲインを持つ縦型パターンを示す。図３Ｃは、第１のスイッチ２０４がオフで第２のスイッチ２１４がオンの場合の、正のｘ方向に最大ゲインを持つ縦型パターンを示す。
アンテナパターン間のゲイン差は、角度範囲からかなり明白であり、フェーディングの解消に有効である。１度に最大ゲイン９０℃でビームを方向操作する有効な方法は、縦型左から横方向、縦型右、横方向へと移動するように回路を駆動することである。このような動きは、スイッチ２０４、２１４の状態をオンーオフ、オンーオン、オフーオン、オンーオンの順で周期する４状態回路によって得ることができる。フェードの検出に伴い、４状態回路は次の状態にスイッチする。
本発明では、多種多様のＲＦスイッチが使用可能である。各スイッチは少なくとも１５ｄＢのオン／オフ比を有していることが好ましく、オン状態での損失は低い方が望ましい。オフ状態ではスイッチは反射状態、すなわち、短絡または開回路であるか、抵抗部を殆どあるいは全く生じないリアクタンス値を有する。第２のアンテナを反射器として動作させるために、適切な端子相をアンテナとスイッチの間のネットワーク（例えば送電線の長さ）などによって得る。
適切なスイッチとしては、ＰＩＮダイオードやＧａＡｓＦＥＴスイッチなどがある。ゲートバイアスを低ノイズＦＥＴ増幅器にスイッチすることにより、ここでの目的に適したＦＲスイッチが形成されることになる。オフにバイアスされた時にＦＥＴが生じる固有インピーダンスの不一致が、反射端子を形成する。図２に示した２方向のスイッチ２０４、２１４は理想的な例として挙げたが、実際には必ずしもこの通りでなくてもよい。
応用方法によっては、図３に示すような上記のスイッチ構成のいずれによっても得られない無指向性のアンテナパターンが必要な場合もある。しかし、このようなアンテナパターンは上述の構成に多少の変化を加えることで得ることができるものである。このような変形回路においては、第２のアンテナ２１２が影響を及ぼさないように調整する第３のスイッチ位置が第２のスイッチ２１４に存在する。第２のスイッチ２１４がこの第３の位置にあり第１のスイッチ２０４は第１の位置にある場合、第１のアンテナ２０２が受信機に接続されている。このような構成のときは、アンテナパターンは第１のアンテナ２０２単独のものであり、無指向性のパターンとして好ましい。
本出願人のＰＣＴ国際出願番号ＷＯ９７／０８７７４に開示されている構成に基づいた本出願のアンテナダイバーシティ回路を図４に示す。この回路は、例えばＤｕｒｏｉｄまたはＦＲ４ガラス繊維からなる基板４１０を有する。基板４１０の一方の面には第１の端部受信タイプの伸張金属双極アンテナ４１２が配設されている。実際には、任意の周波数（中心周波数）での波長の４分の１に対応する長さで、効果的な部分が上側に来るように、双極アンテナは垂直に配置される。このような伸張双極アンテナはマイクロストリップの形で形成される。
基板４１０の裏側には、やはりマイクロストリップで形成された接地面４１４と、マイクロストリップの第１及び第２の素子４１６、４１７を含む第２の双極アンテナがある。第１及び第２の素子４１６、４１７は、第１の双極アンテナ素子の自由端部から波長の４分の１に対応する距離だけ離間して、その位置から伸張するように、接地面４１４に接続されている。第１及び第２の素子４１６、４１７はそれぞれ、任意の周波数（中心周波数）の波長の４分の１に対応する長さを有する。第１及び第２の素子４１６、４１７は第１の双極アンテナ素子の長手方向の軸に対して傾斜している。図中、基板の裏側に位置する素子４１４、４１６、４１７、４２６、４２７は、破線で示す。
双極アンテナ素子４１２、４１６、４１７が第１のプリントアンテナを形成する。第２のプリントアンテナも、双極アンテナ素子４２２、４２６、４２７からなる同様のタイプのものである。これらのアンテナは基板４１０上に、第１の双極アンテナ素子４１２、４２２が任意の周波数（まはた中心周波数）の波長の３分の１に対応する距離だけ離間するように、配設される。これら２つの双極アンテナ素子の供給経路は双極と同じ幅を有しており、５０オームの線路からなる。共通供給点２２２はこの線路のほぼ中央に位置する。第１及び第２の素子４１６、４１７、４２６、４２７は、基板４１０の反対側に配設される。ＰＩＮダイオード４３４、４３６は、主放射域から離れた位置で、第１の双極アンテナ素子４１２、４２２の供給経路に接続されている。このＰＩＮダイオード４３４、４３６はまた、端子４４６に接続された容量性スタブ４４２、４４４を有する低域フィルタ４３８、４４０にそれぞれ接続されている。
実際の使用においては、共通供給点２２２は無線受信機２２４の入力に接続され、コントローラ２２８はＰＩＮダイオード４３４、４３６の通電のために配設される。信号品質測定手段２２６によってフェードが検出された場合、コントローラ２２８は、次のアンテナパターンが形成されるように、例えば上記の４状態回路のように動作してＰＩＮダイオードの状態を変える。
５．８ＧＨｚの作動周波数を有する図４に示すアンテナダイバーシティ回路の実際の適用において測定したところ、上述の理論上の計算とアンテナパターンが一致した。
アンテナダイバーシティシステムの別の実施例の概略図を図５に示す。本実施例では、２つのアンテナパターンが同時に使用可能となる。第１及び第２のアンテナ２０２、２１２は直接スイッチ２０４、２１４に接続されず、９０℃のハイブリッド結合器（ＨＣ）５０２の第１及び第２の入力５０３、５０５にそれぞれ接続されている。ＤＥＣＴシステムにおける好ましい実用のハイブリッド結合器の例としては、Ｍｕｒａｔａ  ＬＤＣ３０Ｂ０３０ＧＣ１９００があり、いかなる送受話器にも対応できるように小型で、１ｄＢより損失は低い。
ハイブリッド結合器５０２からの第１の出力信号５０４は、ハイブリッド結合器５０２によって９０℃の移相が行われるため、第２のアンテナ２１２が反射端子を供給された時に第１のアンテナ２０２から得られるものと同じ第１のビーム信号である。ハイブリッド結合器５０２からの第２の出力信号５０６は、第１のアンテナ２０２が反射端子を供給された時に第２のアンテナ２１２から得られるものと同じ第２のビーム信号である。したがって、アンテナ２０２、２１２が無指向性で波長の３分の１の距離だけ離間されている場合、出力信号５０４、５０６に対するアンテナ反応パターンは図３Ｂ、図３Ｃに示すようになる。また、異なるアンテナ間隔や９０℃以外の移相をつけることにより、違った反応パターンを得ることができる。
２つの指向性結合器（ＤＣ）５０８は、信号品質比較器（ＳＱＣ）５１０による各出力信号５０４、４０６のサンプリングを行えるようにする。この結合器５１０は例えば、各受信信号の無線信号強度や、ビット誤り率などその他の適切な品質基準を測定する回路よりなる。
必要であれば、指向性結合器５０８はスイッチで代用することもできる。この構成には、受信機２２４が信号を受信している間は比較器５１０が信号品質比較を行えないという問題があるが、指向性結合器の使用を避けることは場合によっては好ましいこともある。
スイッチの構成は図２と同様で、上述のスイッチ２０４、２１４を含み、共通接続点２２２と受信機２２４とに接続する出力を指向性結合器５０８から選択するために設けられる。コントローラ（ＣＯＮ）５１２は、受信機２２４と信号品質比較器５１０からの情報に対応してスイッチ２０４、２１４の状態を設定する。図２に示す構成と異なる点は、スイッチ２０４、２１４のうち１つのみがオン状態になり得る点と、ハイブリッド結合器５０２の正確な作動のために、不使用のビームは対応負荷５１４（通常は５０オーム）で切断される点である。
図２に示すスイッチによる実施例も図５に示すハイブリッド結合器を使用した実施例も、プリアンブルとデータ部とをそれぞれ含むタイムフレーム毎に信号が送信されるＤＥＣＴなどの時分割多元接続（ＴＤＭＡ）方式における使用に特に適している。このような方式では、信号品質測定や比較はフレーム内のプリアンブルの受信中に行われ、データ部の受信に最適なビームパターンを選択することができる。
このような構成はまた、信号測定とダイバーシティスイッチングとの間の遅延時間を減少することにより高速動作を可能とする。したがって、スイッチングはフレーム単位で行うことができ、受信信号の一時的なフェーディングを検出する作業が回避できる。
更に、２つのビームの指向性が受信信号全体の遅延を減少し、記号間の干渉を減らし高いデータ率を得ることが可能となる。
スイッチングによる実施例とハイブリッド結合器を使用した実施例もは、送信にも適している。この場合、受信機２２４は送受信器に代わる。時分割二重方式のアンテナ経路の対称性を利用して、受信用に選択された最後のビームが送信に使用される。こうした送信信号は、単一の無指向性アンテナの場合に比べて、３ｄＢの指向性ゲイン分優勢であり、より広い通達範囲を得ることができる。
周波数分割二重方式では、地上送信と衛星送信との周波数の差や無線伝播環境のその他の特性によっては、アンテナ経路は対称ではない場合もありうる。したがって、場合によっては無指向性ビームパターンを使って送信を行なう方が良い場合もある。
図５に示すハイブリッド結合器を使用した実施例の問題点は、受信中にハイブリッド結合器５０２の不使用出力に対して、負荷５１４によって３ｄＢ分の電力が浪費されることである。しかし、各ビームの指向性ゲインがほぼ３ｄＢであるため、単一の無指向性アンテナの場合と比べて性能が劣るということはない。
図６はこの問題を解消するハイブリッド結合器を使用した第２の実施例を示す。この実施例は図５に示すものと類似しているが、図５ではハイブリッド結合器５０２の入力５０３、５０５にそれぞれ直接接続されていたアンテナ２０２、２１２が、図６ではスイッチ６０２、６０４に接続されている。受信信号の品質のサンプリング及び比較を行うために、スイッチ６０２、６０４はアンテナ２０２、２１２をハイブリッド結合器２０２の入力５０３、５０５に接続し、ハイブリッド結合器２０２の出力５０４、５０６が信号品質比較器５１０に直接接続されるようにする。
通常の受信及び送信については、スイッチ６０２、６０４はアンテナ２０２、２１２を端子６０６、６０８に接続し、ハイブリッド結合器５０２を通らずにスイッチ２０４、２１４に直接接続するようにする。回路のその他の部分は、受信機２２４が送受信器（Ｔｘ／Ｒｘ）６１０に代わる以外は、図２のスイッチングによる実施例と同様に作動する。スイッチ２０４、２１４の設定は、ハイブリッド結合器５０２の出力５０４、５０６に接続されたときに比較器５１０によって得られる測定値によって決定される。
異なるビームからの受信信号品質を連続的に比較したい場合は、スイッチ６０２、６０４を指向性結合器５０８に取り替えれば良い。
本発明の方法は、２本以上のアンテナを有するアンテナダイバーシティシステムにも適用可能である。例えば、２本のアンテナ構成の問題点のひとつは、図３に示すような横型パターンは、アレイの軸に対して対称であるという点である。図７に、この問題を解決する、３本のアンテナを使用した構成例の概略図を示す。この構成は、任意の周波数（中心周波数）での波長の半分の最大距離で離間している第１のアンテナ２０２と第２のアンテナ２１２と、更に第１及び第２のアンテナとの間に、第１及び第２のアンテナから任意の周波数（中心周波数）での波長の半分の最大距離で横方向に離間して位置する第３のアンテナ７０２を含む。
この構成は、２本のアンテナアレイにおけるＡ−Ｂ方向の縦型の性能を有すると共に、Ｃ−Ｄ方向にアンテナパターンを形成することもできる。
本発明の開示から、アンテナを更に加えることで更なる数の指向性アンテナパターンが得られることは、当業者には明らかである。
上述のアンテナダイバーシティシステムは受信機を使用したものであるが、送信機を使用したものでも同様の効果が得られることは明らかである。例えば、ＤＥＣＴやＧＳＭなどの２元コードレス通信システムでは、送受話器での基地局からの信号受信に最適なアンテナビームパターンは、送受話器での基地局への信号送信にも最適である。
本発明の開示から、その他の変形例が当業者には自明である。そのような変形例は、アンテナダイバーシティシステム技術において公知の特性や方法を利用したり、それらを本発明で開示した特性に代替または付加したりして利用できる。
産業上の利用分野
本発明は幅広い産業分野に適用可能であり、例えば、無線データリンクや、ＤＥＣＴ、ＧＳＭなどのコードレス及びセルラー通信システムに利用可能である。
【図１】
0004274388.tif 000002
【図２】
0004274388.tif 000003
【図３Ａ】
0004274388.tif 000004
【図３Ｂ】
0004274388.tif 000005
【図３Ｃ】
0004274388.tif 000006
【図４】
0004274388.tif 000007
【図７】
0004274388.tif 000008
【図５】
0004274388.tif 000009
【図６】
0004274388.tif 000010